【手続補正書】
【提出日】平成19年5月31日(2007.5.31)
【手続補正１】
【補正対象書類名】明細書
【補正対象項目名】特許請求の範囲
【補正方法】変更
【補正の内容】
【特許請求の範囲】
【請求項１】
送信端末装置と受信端末装置とが接続される平衡通信路を用いるマルチキャリア通信方法であって、
前記平衡通信路の平衡度が測定される測定ステップと、
前記測定ステップにおいて測定された平衡度に基づいて、通信の態様が制御される通信態様制御ステップとを含むマルチキャリア通信方法。
【請求項２】
送信端末装置と受信端末装置とが接続される平衡通信路を用いるマルチキャリア通信方法であって、
前記平衡通信路の平衡度及びＳＮ比が測定される測定ステップと、
前記測定ステップにおいて測定された平衡度及びＳＮ比に基づいて、通信の態様が制御される通信態様制御ステップとを含むマルチキャリア通信方法。
【請求項３】
前記通信態様制御ステップは、前記平衡通信路の平衡度が測定される前記測定ステップにおいて測定された平衡度に基づいて、通信に使用するキャリアが選択される選択ステップを含む、請求の範囲第１項記載のマルチキャリア通信方法。
【請求項４】
前記通信態様制御ステップは、前記平衡通信路の平衡度及びＳＮ比が測定される前記測定ステップにおいて測定された平衡度とＳＮ比とに基づいて、通信に使用するキャリアが選択される選択ステップを含む、請求の範囲第２項記載のマルチキャリア通信方法。
【請求項５】
前記通信態様制御ステップは、前記平衡通信路の平衡度及びＳＮ比が測定される前記測定ステップにおいて測定されたＳＮ比に基づいて、ＳＮ比が所定の基準値を満たないキャリアが通信から除外される除外ステップを含む、請求の範囲４第項記載のマルチキャリア通信方法。
【請求項６】
前記通信態様制御ステップは、
周波数の高い順にキャリアが選択される選択ステップを含む、請求の範囲第４項記載のマルチキャリア通信方法。
【請求項７】
前記通信態様制御ステップは、
前記送信端末装置が、通信に使用するキャリアを選択することを許可する許可ステップを含む、請求の範囲第３項記載のマルチキャリア通信方法。
【請求項８】
前記通信態様制御ステップは、
前記受信端末装置が、通信に使用するキャリアを選択し、前記キャリアの選択結果を前記送信端末装置に通知することを許可する許可ステップを含む、請求の範囲第４項記載のマルチキャリア通信方法。
【請求項９】
前記通信態様制御ステップは、
前記平衡通信路の平衡度及びＳＮ比が測定される前記測定ステップにおいて測定されたＳＮ比を基に、各キャリアの変調方式が選択される選択ステップを含む、請求の範囲第４項記載のマルチキャリア通信方法。
【請求項１０】
前記平衡通信路の平衡度及びＳＮ比が測定される前記測定ステップは、予め定められた時間間隔毎に実施され、
前記通信態様制御ステップは、
前記測定ステップにおいて前記平衡度と前記ＳＮ比とが測定される度に、キャリアが新たに選択される選択ステップを含む、請求の範囲第４項記載のマルチキャリア通信方法。
【請求項１１】
前記通信態様制御ステップは、
前記平衡通信路の平衡度が測定される前記測定ステップにおいて測定された平衡度に基づいて、通信に使用するキャリアの電力が制御される制御ステップを含む、請求の範囲第１項記載のマルチキャリア通信方法。
【請求項１２】
前記通信態様制御ステップは、
前記平衡通信路の平衡度が測定される前記測定ステップにおいて測定された平衡度が最も低いキャリアは、当該キャリアの電力を下げて使用するか、あるいは、通信から除外されるステップを含む、請求の範囲第１項記載のマルチキャリア通信方法。
【請求項１３】
前記通信態様制御ステップは、
前記平衡通信路の平衡度及びＳＮ比が測定される前記測定ステップにおいて測定された平衡度とＳＮ比とに基づいて、通信に使用するキャリアの電力が制御される制御ステップを含む、請求の範囲第２項記載のマルチキャリア通信方法。
【請求項１４】
前記通信態様制御ステップは、
前記平衡通信路の平衡度及びＳＮ比が測定される前記測定ステップにおいて測定された平衡度とＳＮ比とに基づいて、通信に使用するキャリアの選択とキャリアの電力制御とが行なわれるステップを含む、請求の範囲第２項記載のマルチキャリア通信方法。
【請求項１５】
前記通信態様制御ステップは、
前記平衡通信路の平衡度及びＳＮ比が測定される前記測定ステップにおいて測定された平衡度とＳＮ比とを、予め定められた平衡度に関する基準値である第１の基準値とＳＮ比に関する基準値である第２の基準値とそれぞれ比較する比較ステップを含み、
（ａ）前記平衡度が前記第１の基準値以上で、かつ、前記ＳＮ比が前記第２の基準値以上のキャリアは、当該キャリアの電力を変更せずに使用され、
（ｂ）前記平衡度が前記第１の基準値以上で、かつ、前記ＳＮ比が前記第２の基準値未満のキャリアは、当該キャリアの電力を上げて使用されるか、又は、通信から除外され、
（ｃ）前記平衡度が前記第１の基準値未満で、かつ、前記ＳＮ比が前記第２の基準値以上のキャリアは、当該キャリアの電力を下げて使用され、
（ｄ）前記平衡度が前記第１の基準値未満で、かつ、前記ＳＮ比が前記第２の基準値未満のキャリアは、通信から除外される、請求の範囲第１３項記載のマルチキャリア通信方法。
【請求項１６】
前記第１の基準値は、前記平衡通信路の不要輻射電力を基に決定され、前記第２の基準値は、変調方式に準拠した符号誤り率を基に決定される、請求の範囲第１５項記載のマルチキャリア通信方法。
【請求項１７】
前記通信態様制御ステップは、キャリアの選択とキャリアの電力制御の少なくともいずれかが、帯域毎に分割された複数のキャリアについて、一括して実行される実行ステップを含む、請求の範囲第１６項記載のマルチキャリア通信方法。
【請求項１８】
前記平衡通信路の平衡度が測定される前記測定ステップは、
前記送信端末装置が前記平衡度を測定することを許可する許可ステップを含む、請求の範囲第１項記載のマルチキャリア通信方法。
【請求項１９】
前記平衡通信路の平衡度及びＳＮ比が測定される前記測定ステップは、
前記送信端末装置が前記平衡度を測定し、前記受信端末装置が前記ＳＮ比を測定することを許可する許可ステップを含む、請求の範囲第２項記載のマルチキャリア通信方法。
【請求項２０】
前記平衡通信路の平衡度が測定される前記測定ステップは、
前記平衡度を表すパラメータとして、縦方向変換損と縦方向伝達変換損の少なくともいずれか一方が測定される測定ステップを含む、請求の範囲第１項記載のマルチキャリア通信方法。
【請求項２１】
前記平衡通信路は電力線である請求の範囲第１項〜第２０項の何れかに記載のマルチキャリア通信方法。
【請求項２２】
平衡通信路を用いるマルチキャリア通信システムの送信端末装置であって、
前記マルチキャリア通信システムは送信端末装置と受信端末装置を含み、
前記送信端末装置は、
送信端末装置と受信端末装置とが接続される前記平衡通信路の、平衡度を測定する測定部と、
前記測定部において測定された平衡度を基に、通信に使用するキャリアを選択するキャリア選択部と、を備える送信端末装置。
【請求項２３】
前記測定部は、送信端末装置と受信端末装置とが接続される前記平衡通信路の、平衡度とＳＮ比とを測定するものであり、
前記キャリア選択部は、前記測定部において測定された平衡度とＳＮ比とを基に、通信に使用するキャリアを選択するものである、請求の範囲第２２項記載の送信端末装置。